(57)【要約】【課題】  旋回機構を構成する固定側と旋回側の一方を円形に構成しつつも、他方を少なくとも３個の摺接ガイド部を有する構成することで、摺接面の面積を非常に小さくできる測量機の雨よけ・日よけ装置を提供する。【解決手段】  連結ボルトが貫通する取付け穴を有し、取付け穴を中心とする円周上に少なくとも３個の摺接ガイド部１２を有する基台４と、摺接ガイド部１２によって摺接ガイドされることにより基台４に対し旋回可能な旋回輪１３と、旋回輪１３に対し上方に向けて取付けられる支柱１５と、支柱１５に取付けられる覆い２０と、を備え、基台４が三脚３上部の測量機取付け座と測量機との間に配置された状態で測量機２が三脚３に連結されることで基台４が三脚３に固定される。【選択図】        図１
2020187080.tif 000002
【特許請求の範囲】
【請求項１】
連結用ネジ穴を有する測量機と、
前記連結用ネジ穴に対応する連結ボルトを有する三脚と、を備え、
前記三脚に連結される前記測量機に用いられる雨よけ・日よけ装置であって、
前記連結ボルトが貫通する取付け穴を有し、前記取付け穴を中心とする円周上に少なくとも３個の摺接ガイド部を有する基台と、
前記摺接ガイド部によって摺接ガイドされることにより前記基台に対し旋回自在な旋回輪と、
前記旋回輪に対し上方に向けて取付けられる支柱と、
前記支柱に取付けられる覆いと、
を備え、
前記基台が前記三脚上部の測量機取付け座と測量機との間に配置された状態で前記測量機が前記連結ボルトにより前記三脚に連結されることで前記基台が前記三脚に固定され、さらに前記基台によって前記旋回輪が摺接ガイドされ、前記旋回輪に前記支柱及び前記覆いが取付けられることで、前記覆いが測量機の上方を覆うと共に、前記支柱と前記覆いが三脚に対して旋回可能なことを特徴とする、測量機に用いられる雨よけ・日よけ装置。
【請求項２】
前記基台は、前記取付け穴を中心とする正ｎ角形に形成され、その角部全てにｎ個の前記摺接ガイド部を備えることを特徴とする、請求項１に記載された、測量機に用いられる雨よけ・日よけ装置。
【請求項３】
連結用ネジ穴を有する測量機と、
前記連結用ネジ穴に対応する連結ボルトを有する三脚と、を備え、
前記三脚に連結される前記測量機に用いられる雨よけ・日よけ装置であって、
前記連結ボルトが貫通する取付け穴を有し、前記取付け穴を中心とする円形基台と、
測量機の水平断面が通りぬけることができる直径の円形穴を有し、かつ少なくとも３個の摺接ガイド部を有し、前記円形基台の円周部を前記摺接ガイド部が摺接ガイドすることによって前記円形基台に対し旋回自在な旋回部材と、
前記旋回部材に対し上方に向けて取付けられる支柱と、
前記支柱に取付けられる覆いと、
を備え、
前記円形基台が前記三脚上部の測量機取付け座と測量機との間に配置された状態で前記測量機が前記連結ボルトにより前記三脚に連結されることで前記円形基台が前記三脚に固定され、さらに前記円形基台によって前記旋回部材が摺接ガイドされ、前記旋回部材に前記支柱及び前記覆いが取付けられることで、前記覆いが測量機の上方を覆うと共に、前記支柱と前記覆いが三脚に対して旋回可能なことを特徴とする、測量機に用いられる雨よけ・日よけ装置。
【請求項４】
前記旋回部材は、前記円形穴を中心とする正ｎ角形に形成され、その角部全てにｎ個の前記摺接ガイド部を備えることを特徴とする、請求項３に記載された、測量機に用いられる雨よけ・日よけ装置。
【発明の詳細な説明】
【技術分野】
【０００１】
本発明は、三脚に取付けられる測量機の雨よけ・日よけ装置の技術に関する。
【背景技術】
【０００２】
通常、測量機は専用の三脚に取付けて使用されることから、三脚上部の測量機取付け座と測量機下部の取付け部との間に中央に穴を有する円形板を配置固定することで、円形板に組み合わされるリング状部材と雨よけ・日よけ部材とが三脚に対して旋回可能とすることができる。この新規な構成について特許出願することにより、測量機の雨よけ・日よけ装置の発明に対し本願特許出願人は特許取得済みである（特許文献１）。
【０００３】
特許文献1記載の雨よけ・日よけ装置によれば、三脚と測量機との間に挟み込まれた円形板に対しリング状部材が旋回可能なので、測量機の旋回に合わせ雨よけ・日よけ部材も旋回することができる。そのため、測量機を旋回し、視準する時にも雨よけ・日よけ部材がじゃまにならない。また、野外での測量作業における降雨及び日差しから高価で精巧な測量機を守ることができる。
【先行技術文献】
【特許文献】
【０００４】
【特許文献１】特許第６３５２３３３号公報
【発明の概要】
【発明が解決しようとする課題】
【０００５】
ところで、特許文献１記載の装置は、円形板とリング状部材がリング状の面で接触して旋回する構造であるため、摺接面の面積がやや大きくなる傾向にある。測量機による測量作業は屋外で行われるものであるため、水・粉じん等が摺接面に入りこむ恐れもある。摺接面を外部から完全にカバーする構造も考えられるが大掛かりなものとなるため、重量・コストの面からもあまり好ましいものではない。
【０００６】
そこで本発明は、旋回機構を構成する固定側構造と旋回側構造のどちらか一方を円形に構成しつつも、他方を少なくとも３個の摺接ガイド部を有する構成することで、摺接面の面積を非常に小さくすることができ、それにより水・粉じん等が摺接面に入りこみにくく、入りこんでも飛び出すため、より野外での使用に適した、測量機の雨よけ・日よけ装置（以下、「本件装置」という。）を提供することを目的とする。
【課題を解決するための手段】
【０００７】
第１の発明に係る本件装置は、連結用ネジ穴を有する測量機と、前記連結用ネジ穴に対応する連結ボルトを有する三脚と、を備え、前記三脚に連結される前記測量機に用いられる雨よけ・日よけ装置であって、前記連結ボルトが貫通する取付け穴を有し、前記取付け穴を中心とする円周上に少なくとも３個の摺接ガイド部を有する基台と、前記摺接ガイド部によって摺接ガイドされることにより前記基台に対し旋回自在な旋回輪と、前記旋回輪に対し上方に向けて取付けられる支柱と、前記支柱に取付けられる覆いと、を備え、前記基台が前記三脚上部の測量機取付け座と測量機との間に配置された状態で前記測量機が前記連結ボルトにより前記三脚に連結されることで前記基台が前記三脚に固定され、さらに前記基台によって前記旋回輪が摺接ガイドされ、前記旋回輪に前記支柱及び前記覆いが取付けられることで、前記覆いが測量機の上方を覆うと共に、前記支柱と前記覆いが三脚に対して旋回可能なことを特徴とする。
【０００８】
第１の発明に係る本件装置は、円周上に少なくとも３個の摺接ガイド部を有する基台と、前記摺接ガイド部によって摺接支持されることにより前記基台に対し旋回自在な旋回輪とによって旋回機構が構成されるので、摺接面の面積を非常に小さくでき、水・粉じん等が摺接面に入りこみにくく、入りこんでも飛び出すため、より野外での使用に適した装置とすることができる。
【０００９】
第２の発明に係る本件装置は、前記基台は、前記取付け穴を中心とする正ｎ角形に形成され、その角部全てにｎ個の前記摺接ガイド部を備えることを特徴とする。
【００１０】
第２の発明に係る本件装置は、正ｎ角形（ｎは３以上の整数）の基台の角部全てにｎ個の前記摺接ガイド部を備える構造とすることにより、基台形状をシンプルで作り易いものとすることができると共に、重量とコストを小さくできる。
【００１１】
第３の発明に係る本件装置は、連結用ネジ穴を有する測量機と、前記連結用ネジ穴に対応する連結ボルトを有する三脚と、を備え、前記三脚に連結される前記測量機に用いられる雨よけ・日よけ装置であって、前記連結ボルトが貫通する取付け穴を有し、前記取付け穴を中心とする円形基台と、測量機の水平断面が通りぬけることができる直径の円形穴を有し、かつ少なくとも３個の摺接ガイド部を有し、前記円形基台の円周部を前記摺接ガイド部が摺接支持することによって前記円形基台に対し旋回自在な旋回部材と、前記旋回部材に対し上方に向けて取付けられる支柱と、前記支柱に取付けられる覆いと、を備え、前記円形基台が前記三脚上部の測量機取付け座と測量機との間に配置された状態で前記測量機が前記連結ボルトにより前記三脚に連結されることで前記円形基台が前記三脚に固定され、さらに前記円形基台によって前記旋回部材が摺接支持され、前記旋回部材に前記支柱及び前記覆いが取付けられることで、前記覆いが測量機の上方を覆うと共に、前記支柱と前記覆いが三脚に対して旋回可能なことを特徴とする。
【００１２】
第３の発明に係る本件装置は、円形基台と、少なくとも３個の摺接ガイド部を有し、当該摺接ガイド部が前記円形基台の円周部を摺接ガイドすることによって前記円形基台に対し旋回可能な旋回部材とによって旋回機構が構成されるので、摺接面の面積を非常に小さくでき、水・粉じん等が摺接面に入りこみにくく、入りこんでも飛び出すため、より野外での使用に適した装置とすることができる。
【００１３】
第４の発明に係る本件装置は、前記旋回部材は、前記円形穴を中心とする正ｎ角形（ｎは３以上の整数）に形成され、その角部全てにｎ個の前記摺接ガイド部を備えることを特徴とする。
【００１４】
第４の発明に係る本件装置は、正ｎ角形の旋回部材の角部全てにｎ個の前記摺接ガイド部を備える構造とすることにより、旋回部材形状をシンプルで作り易いものとすることができると共に、重量とコストを小さくできる。
【発明の効果】
【００１５】
本発明によれば、円周上に少なくとも３個の摺接ガイド部を有する一方の構造と、摺接ガイド部によって摺接ガイドされる円形の他方の構造とが組み合わされて旋回機構が構成されるので、摺接面の面積を非常に小さくできる。そのため、水・粉じん等が摺接面に入りこみにくく、入りこんでも飛び出すため、野外での使用により適した本件装置とすることができる。また、旋回機構の重量・コストが低減し、ひずみ取り等の修正が容易で作り易いものとなる。さらに、摺接面の面圧が高まるため、旋回停止位置での適度の保持機能を備えることもできる。
【図面の簡単な説明】
【００１６】
【図１】第１の実施の形態に係る本件装置を装着した測量機と三脚である。
【図２】図１の要部断面図である。
【図３】図２のＡ部詳細図である。
【図４】第１の実施の形態に係る本件装置と測量機と三脚とを分解表示した図である。
【図５】第２の実施の形態に係る本件装置と測量機と三脚とを分解表示した図である。
【発明を実施するための形態】
【００１７】
第１の実施の形態
図１は、第１の実施の形態に係る本件装置１を装着した測量機２と三脚３である。図２は、図１の要部断面図であって、三脚３と測量機２との間に基台４を挟みこんで固定した状態を説明する図である。図３は、図２のＡ部詳細図であって、第１の実施の形態に係る旋回機構５を説明する図である。図４は、第１の実施の形態に係る本件装置１と測量機２と三脚３とを分解表示した図である。以降、図１〜図４を用いて第１の実施の形態に係る本件装置１を説明する。
【００１８】
図２に示すように、測量機２にはその下面６の中央から上方に向いて連結用ネジ穴７が設けられている。三脚３は、測量機取付け座８の中央上下に貫通した穴に連結ボルト１０を有している。基台４は、三脚３上部の測量機取付け座８と測量機２との間に配置されている。基台４は、中央部に連結ボルト１０が貫通する取付け穴１１を有している（図４参照）。この状態で測量機２が連結ボルト１０により三脚３に連結されることで基台４が三脚３に固定されている。
【００１９】
図１（及び図４）に示すように、基台４は、平面視、取付け穴１１を中心とする正三角形に形成されている。基台４は、その３つの角部に摺接ガイド部１２を有している。旋回輪１３は、リング型に形成されている。旋回輪１３は、旋回支持部１２によって摺接ガイドされることにより、基台４に対し旋回自在となっている。
【００２０】
図１に示すように、旋回輪１３の外周面の対向する位置に２つの支柱１５が上方に向けて取付け金具１６によって取付けられている。取付け金具１６は、旋回輪１３の外周面に設けられたネジ穴にねじ込まれる蝶ボルト１７によって旋回輪１３に取付けられている。支柱１５は、細長く切断された薄板の鉄板の長手方向中央部が山形に折り曲げられて形成されている。支柱１５の上部先端には覆い２０が取付けられている。覆い２０は、弾性を有する針金が円形に構成された外周芯部２１に薄い布２２が張られて構成されている。支柱１５の先端が外周芯部２１を保持することで、支柱１５に覆い２０が取付けられている。
【００２１】
図１（図４）に示すように、基台４は取付け穴１１を中心とする円周状に３個の摺接ガイド部１２を有している。言い換えると、正三角形の基台４の３つの頂点近傍に摺接ガイド部１２が設けられている。図３は、図２のＡ部詳細図であって摺接ガイド部１２を説明する断面図である。
【００２２】
図３に示すように、摺接ガイド部１２は、基台４の頂点近傍部分２２、サポート２３、ボルト２４、ナット２５及びスプリングワッシャ２６とから構成されている。基台４の頂点近傍部分２２には、ボルト４を通すための穴が明けられている。サポート２３は、長方形の板がＬ字状に曲げられ、一方の辺にボルト４を通すための穴が明けられて構成されている。図３に示すように、基台４の頂点近傍部分２２とサポート２３は、旋回輪１３を間に挟んだ状態で、ボルト２４、ナット２５及びスプリングワッシャ２６によって組み立てられる。旋回輪１３は、リング状に切断された上下板と、円形となるよう曲げられた内周板と外周板とが組み合わされ形成されている。旋回輪１３の断面は略長方形となっている。
【００２３】
図３に示すように、旋回輪１３と摺接ガイド部１２との間には上下方向及び左右方向共にクリアランスが設けられているので、旋回輪１３は摺接ガイド部１２に対し移動自在（図３の紙面方向へ移動自在）となっている。そしてさらに、図１に示すように、３カ所の摺接ガイド部１２によって円周に沿ってガイドされることにより、旋回輪１３は基台４の取付け穴１１を中心として旋回可能となっている。
【００２４】
以上、構成を説明した第１の実施の形態に係る本件装置１の使用方法とその作用・効果について説明する。
【００２５】
図１に示すように、測量を行おうとする現地において、本件装置１を測量機２及び三脚３に対して組み付け、設置する。このとき、測量機２の上方は覆い２０によって覆われているので、強い直射日光が遮られ測量機２は温度上昇することが少ない。また、雨、雪等がかかることが防止され測量機２が濡れることが少ない。したがって、測量精度向上につながる共に、測量機２の傷みを防止することにも役立つ。
【００２６】
測量作業においては、図１に示した姿勢から測量機２を三脚３に対して旋回することにより、視準する方向を変える場合がある。その際方向によっては、支柱１５が測量機２の視界に入る場合がある。そのときには、基台４に対して旋回輪１３を旋回させ支柱１５と覆い２０を旋回させることで、測量機２の視界から外れるように支柱１５を動かすことができる。このように、３６０度全ての旋回方向に対して視界を妨げられることなく、測量機２による測量作業を行うことができる。
【００２７】
以上、説明したように、第１の実施の形態に係る本件装置１によれば、円周上に少なくとも３個の摺接ガイド部１２を有する基台４と、摺接ガイド部１２によって摺接ガイドされることにより基台４に対し旋回可能な旋回輪１３とによって旋回機構５を構成することができる。そのため、摺接面の面積を非常に小さくでき、水・粉じん等が摺接面に入りこみにくく、入りこんでも飛び出すため、野外での使用により適した装置とすることができる。また、旋回機構の重量・コストが低減し、ひずみ取り等の修正が容易で作り易いものとなる。さらに、摺接面の面圧が高まるため、旋回停止位置での適度の保持機能を備えることもできる。
【００２８】
なお、第１の実施の形態に係る本件装置１では、基台４を正三角形としたが、基台４は正ｎ角形（ｎは３以上の自然数）とすることができる。すなわち、正方形、正５角形、正６角形・・・・としてもよい。そして、その角部全てに摺接ガイド部１２を設けるようにしてもよい。その場合も同様の効果を得ることができる。
【００２９】
また、第１の実施の形態に係る本件装置１では、図３に示すように摺接ガイド部１２では旋回輪１３の上面、下面及び内径面を摺接ガイドする構造としたが、下面及び内径面を摺接ガイドする構造としてもよい。その場合には、摺接ガイド部１２の構成をよりシンプルなものとすることができる。
【００３０】
第２の実施の形態
図５は、第２の実施の形態に係る本件装置３０、測量機２及び三脚３を分解表示した図である。第２の実施の形態については、第１の実施の形態と共通する部分はその説明を省略し、異なる部分についてのみ説明する。
【００３１】
３１は、三脚３の連結ボルト１０が貫通する取付け穴３２を有し、取付け穴３２を中心とした円形に構成された円形基台である。３３は、正三角形に構成された旋回部材３３である。旋回部材３３は、３つの頂点に３個の摺接ガイド部３４を有している。旋回部材３３は、正三角形の中央部に測量機２の取付部の水平断面が通りぬけることができる直径寸法の円形穴３７が明けられている。
【００３２】
旋回部材３３の３つの頂点近傍にはそれぞれ支柱３５が上方に向け取り付けられている。支柱３５の上部先端には覆い３８が取付けられている。以上、説明したように、第１の実施の形態に係る本件装置１では、旋回輪１３が旋回するのに対し、第２の実施の形態に係る本件装置３０では、円形基台３１は三脚３に固定される点で相違する。また、第１の実施の形態に係る本件装置１では、摺接ガイド部１２が三脚３に固定される基台４に設けられていたのに対し、第２の実施の形態に係る本件装置３０では、摺接ガイド部３４が三脚３に対し旋回する旋回部材３３に設けられている点で相違する。
【００３３】
以上、構成を説明した第２の実施の形態に係る本件装置３０の使用方法とその作用・効果について説明する。
【００３４】
測量を行おうとする現地において、本件装置３０を測量機２及び三脚３に対して組み付け、設置する。このとき、測量機２の上方は覆い３８によって覆われているので、測量機２は強い直射日光が直接当たらないので、温度上昇することが少ない。また、雨、雪等が降る状態でも測量機２が濡れることが少ない。したがって、測量機２のベストコンディションで測量を続けることができる。
【００３５】
測量作業において測量機２を三脚３に対して旋回することにより視準する方向を変える場合は、円形基台３１に対して旋回部材３３を旋回させることにより、支柱３５と覆い３８を旋回させることで、支柱３５を測量機２の視界から外れるよう動かすことができる。したがって、３６０度全ての旋回方向に対して測量機２の視界を妨げられることなく、測量作業を行うことができる。
【００３６】
以上説明したように、第２の実施の形態に係る本件装置３０によれば、円周上に少なくとも３個の摺接ガイド部３４を有する旋回部材３３と、摺接ガイド部３４によって摺接ガイドされる円形基台３１とによって旋回機構４０を構成することできる。そのため、摺接面の面積を非常に小さくでき、水・粉じん等が摺接面に入りこみにくく、入りこんでも飛び出すため、より野外での使用に適した装置とすることができる。また、旋回機構の重量・コストが低減し、ひずみ取り等の修正が容易で作り易いものとなる。さらに、摺接面の面圧が高まるため、旋回停止位置での適度の保持機能を備えることもできる。
【符号の説明】
【００３７】
１：測量機の雨よけ・日よけ装置（第１の実施の形態に係る本件装置）
２：測量機
３：三脚
４：基台
７：連結用ネジ穴
１０：連結ボルト
１１：取付け穴
１２：摺接ガイド部
１３：旋回輪
１５：支柱
２０：覆い
３０：測量機の雨よけ・日よけ装置（第２の実施の形態に係る本件装置）
３１：円形基台
３３：旋回部材
３４：摺接ガイド部
３５：支柱
３７：円形穴
３８：覆い
【図１】
2020187080.tif 000003
【図２】
2020187080.tif 000004
【図３】
2020187080.tif 000005
【図４】
2020187080.tif 000006
【図５】
2020187080.tif 000007
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
連結用ネジ穴を有する測量機と、
前記連結用ネジ穴に対応する連結ボルトを有する三脚と、を備え、
前記三脚に連結される前記測量機に用いられる雨よけ・日よけ装置であって、
前記連結ボルトが貫通する取付け穴を有し、前記取付け穴を中心とする正ｎ角形（ｎは３以上の自然数）に形成され、その角部全てにｎ個の摺接ガイド部を備える基台と、
前記摺接ガイド部によって摺接ガイドされることにより前記基台に対し旋回自在な旋回輪と、
前記旋回輪に対し上方に向けて取付けられる支柱と、
前記支柱に取付けられる覆いと、
を備え、
前記基台が前記三脚の上部の測量機取付け座と前記測量機との間に配置された状態で前記測量機が前記連結ボルトにより前記三脚に連結されることで前記基台が前記三脚に固定され、さらに前記基台によって前記旋回輪が摺接ガイドされ、前記旋回輪に前記支柱及び前記覆いが取付けられることで、前記覆いが前記測量機の上方を覆うと共に、前記支柱と前記覆いが前記三脚に対して旋回可能なことを特徴とする、測量機に用いられる雨よけ・日よけ装置。
【請求項２】
連結用ネジ穴を有する測量機と、
前記連結用ネジ穴に対応する連結ボルトを有する三脚と、を備え、
前記三脚に連結される前記測量機に用いられる雨よけ・日よけ装置であって、
前記連結ボルトが貫通する取付け穴を有し、前記取付け穴を中心とする円形基台と、
前記測量機の水平断面が通りぬけることができる直径の円形穴を有し、かつ前記円形穴を中心とする正ｎ角形（ｎは３以上の自然数）に形成され、その角部全てにｎ個の摺接ガイド部を備え、前記円形基台の円周部を前記摺接ガイド部が摺接ガイドすることによって前記円形基台に対し旋回自在な旋回部材と、
前記旋回部材に対し上方に向けて取付けられる支柱と、
前記支柱に取付けられる覆いと、
を備え、
前記円形基台が前記三脚の上部の測量機取付け座と前記測量機との間に配置された状態で前記測量機が前記連結ボルトにより前記三脚に連結されることで前記円形基台が前記三脚に固定され、さらに前記円形基台によって前記旋回部材が摺接ガイドされ、前記旋回部材に前記支柱及び前記覆いが取付けられることで、前記覆いが前記測量機の上方を覆うと共に、前記支柱と前記覆いが前記三脚に対して旋回可能なことを特徴とする、測量機に用いられる雨よけ・日よけ装置。
【手続補正２】
【補正対象書類名】明細書
【補正対象項目名】０００７
【補正方法】変更
【補正の内容】
【０００７】
第１の発明に係る本件装置は、連結用ネジ穴を有する測量機と、前記連結用ネジ穴に対応する連結ボルトを有する三脚と、を備え、前記三脚に連結される前記測量機に用いられる雨よけ・日よけ装置であって、前記連結ボルトが貫通する取付け穴を有し、前記取付け穴を中心とする正ｎ角形（ｎは３以上の自然数）に形成され、その角部全てにｎ個の摺接ガイド部を備える基台と、前記摺接ガイド部によって摺接ガイドされることにより前記基台に対し旋回自在な旋回輪と、前記旋回輪に対し上方に向けて取付けられる支柱と、前記支柱に取付けられる覆いと、を備え、前記基台が前記三脚の上部の測量機取付け座と前記測量機との間に配置された状態で前記測量機が前記連結ボルトにより前記三脚に連結されることで前記基台が前記三脚に固定され、さらに前記基台によって前記旋回輪が摺接ガイドされ、前記旋回輪に前記支柱及び前記覆いが取付けられることで、前記覆いが前記測量機の上方を覆うと共に、前記支柱と前記覆いが前記三脚に対して旋回可能なことを特徴とする。
【手続補正３】
【補正対象書類名】明細書
【補正対象項目名】０００８
【補正方法】変更
【補正の内容】
【０００８】
第１の発明に係る本件装置は、前記取付け穴を中心とする正ｎ角形（ｎは３以上の自然数）に形成され、その角部全てにｎ個の摺接ガイド部を備える基台と、前記摺接ガイド部によって摺接ガイドされることにより前記基台に対し旋回自在な旋回輪と、によって旋回機構が構成されるので、摺接面の面積を非常に小さくでき、水・粉じん等が摺接面に入りこみにくく、入りこんでも飛び出すため、より野外での使用に適した装置とすることができる。さらに、正ｎ角形（ｎは３以上の整数）の基台の角部全てにｎ個の前記摺接ガイド部を備える構造とすることにより、基台形状をシンプルで作り易いものにできると共に、重量とコストを小さくできる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
第２の発明に係る本件装置は、連結用ネジ穴を有する測量機と、前記連結用ネジ穴に対応する連結ボルトを有する三脚と、を備え、前記三脚に連結される前記測量機に用いられる雨よけ・日よけ装置であって、前記連結ボルトが貫通する取付け穴を有し、前記取付け穴を中心とする円形基台と、測量機の水平断面が通りぬけることができる直径の円形穴を有し、かつ前記円形穴を中心とする正ｎ角形（ｎは３以上の自然数）に形成され、その角部全てにｎ個の摺接ガイド部を備え、前記円形基台の円周部を前記摺接ガイド部が摺接ガイドすることによって前記円形基台に対し旋回自在な旋回部材と、前記旋回部材に対し上方に向けて取付けられる支柱と、前記支柱に取付けられる覆いと、を備え、前記円形基台が前記三脚の上部の測量機取付け座と前記測量機との間に配置された状態で前記測量機が前記連結ボルトにより前記三脚に連結されることで前記円形基台が前記三脚に固定され、さらに前記円形基台によって前記旋回部材が摺接ガイドされ、前記旋回部材に前記支柱及び前記覆いが取付けられることで、前記覆いが前記測量機の上方を覆うと共に、前記支柱と前記覆いが前記三脚に対して旋回可能なことを特徴とする。
【手続補正７】
【補正対象書類名】明細書
【補正対象項目名】００１２
【補正方法】変更
【補正の内容】
【００１２】
第２の発明に係る本件装置は、前記連結ボルトが貫通する取付け穴を有し、前記取付け穴を中心とする円形基台と、測量機の水平断面が通りぬけることができる直径の円形穴を有し、かつ前記円形穴を中心とする正ｎ角形（ｎは３以上の自然数）に形成され、その角部全てにｎ個の摺接ガイド部を備え、前記円形基台の円周部を前記摺接ガイド部が摺接ガイドすることによって前記円形基台に対し旋回自在な旋回部材と、によって旋回機構が構成されるので、摺接面の面積を非常に小さくでき、水・粉じん等が摺接面に入りこみにくく、入りこんでも飛び出すため、より野外での使用に適した装置とすることができる。さらに、正ｎ角形の旋回部材の角部全てにｎ個の前記摺接ガイド部を備える構造とすることにより、旋回部材形状をシンプルで作り易いものにできると共に、重量とコストを小さくできる。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】